(57)【要約】【課題】十分な締付力が容易に得られ取付け取外し操作も容易なモップ糸取付台を提供する。【解決手段】モップ糸取付台は本体１と取付体７とからなっている。本体１の両側に切れ目６を入れ、切れ目６をはさむようにして本体１の両側付近に二つずつの掛止部５を設けている。取付体７の両端に二つの回転脚８の各一端を回転自在に取り付け、各回転脚８の各先端に掛止片９を設けている。本体１と取付体７との間にモップ糸１０をはさんだ後に各回転脚８を本体１の切れ目６に入れ各掛止片９を各掛止部５に掛止させる。各掛止片９を各掛止部５に掛止させた状態では両回転脚８が平行でなくややハの字形になっている。このため外れにくい。【選択図】図１
2007190328.tif 000002
【特許請求の範囲】
【請求項１】
ほぼ直方体の形状とした細長い本体（１）の両側に垂直方向の切れ目６をそれぞれ入れ、各切れ目（６）をはさむようにして本体（１）の両側付近に二つずつの掛止部（５）をそれぞれ設け、一方、本体（１）とほぼ同じ長さとした細長い取付体（７）の両端に二つの回転脚（８）の各一端を回転自在にそれぞれ取り付け、各回転脚（８）の各先端に本体（１）の各掛止部（５）に掛止する掛止片（９）をそれぞれ設け、本体（１）と取付体（７）との間にモップ糸（１０）をはさんだ後に各回転脚（８）を本体（１）の切れ目（６）に入れ各掛止片（９）を上方に出して本体（１）の各掛止部（５）に掛止させるようにし、そして各掛止片（９）を各掛止部（５）に掛止させた状態では両回転脚（８）が平行でなくややハの字形になっているようにしたモップ糸取付台。
【発明の詳細な説明】
【技術分野】
【０００１】  本発明は、モップ糸を取り付けるモップ糸取付台に関するものである。
【背景技術】
【０００２】  本発明の発明者はモップ糸取付台（特許文献１参照）を開発し製造販売も続けている。このモップ糸取付台は、本体の上面の両側方にくぼみを形成し同じく本体の両側に垂直方向の切れ目を入れ、くぼみ内であって本体の両側付近にそれぞれ切れ目をはさむように二つずつの突起を設け、一方、取付体の両端に二つの回転脚の各一端を回転自在にそれぞれ取り付け、先端を二股状に形成して二股の各先端に突部を設けた締付片のその二股部分を回転脚の先端をはさむようにして回転自在にそれぞれ取り付け、本体と取付体との間にモップ糸をはさんだ後、各回転脚を本体の切れ目に入れて各回転脚の上端を上方に出し、締付片を内側方向に回転させたとき締付片の突部が下方にきて締付力を与え、またその突部が突起に当って締付片が外方にずれるのを防止するようにしたものである。【０００３】  まず、厚さがほぼ均等になるようにならしながら取付体の上にモップ糸を載せた後に、一方の回転脚を本体の切れ目の中に押し込んで締付片の背部を本体上に載せる。つぎに、モップ糸の厚さが更に均等になるようにならした後、取付体を本体側にかなり強く押し付けながら他方の回転脚を切れ目に入れて締付片の背部を本体の上に載せる。この段階で、かなり強い力でモップ糸は圧縮されている。つぎに、各締付片をそれぞれ内側へ回転させると、締付片の突出部が下方にきて取付体を持ち上げることによりモップ糸の締付圧が与えられる。このとき、締付片の突部が本体の突起に当って、締付片が外れるのを防いでいる。【０００４】
【特許文献１】      実公昭５４−１０２１７号公報
【発明の開示】
【発明が解決しようとする課題】
【０００５】  本発明の発明者が発明し製造販売を続けてきた前記従来のモップ糸取付台は、３０年前の発売以来ビルメンテナンス業界にあって高い評価を得て大いに売れ続けてきた。しかし、この３０年間でビルなどの床面清掃スタイルが大きく様変りをした。この結果、前記従来品は様様な欠点を指摘されるようになった。【０００６】  すなわち、使用ワックスを例にとっても水性ワックスから樹脂ワックスに完全転換をした。このため、各回転脚の先端に設けた各締付片の回転部に樹脂ワックスが付着して固くなってしまった。固くなった締付片を回転させモップ糸を取り付けるには指先にかなりの力を加えなければならず、作業者が女性や老齢者である場合、容易には取り付けることができないことも多かった。最後は締付片がうまく回転せず故障したり破損したりしてしまうこともあった。破損に伴い指先を傷めることもあった。取り外す場合も同様であった。【０００７】  さらに、使用するモップ糸も綿糸一辺倒タイプから化繊混合糸が主流を占めるようになり硬よりタイプが好まれるようになった。モップ糸が綿糸だけだった場合、モップ糸がふあふあごあごあであるため、取付体の両端に取り付けた各回転脚の各先端に締付片をそれぞれ取り付けた構成にする必要があった。前記のとおり、取付体上でモップ糸の厚さが均等になるようにならした後、取付体を本体側へかなり強く押し付けながら取付体の両回転脚を本体の両切れ目に入れて締付片の背部を本体の上に載せ、まずモップ糸をかなり圧縮した状態にする。つぎに、両締付片をそれぞれ内側へ回転させて更に締め付けることで、ようやく十分な締付力を得ていたのである。ところが、ふあふあごあごあのモップ糸から硬よりのモップ糸に変ったら、取付体両端の両回転脚に回転自在に取り付ける締付片は必要でなくなった。【０００８】  本発明が解決しようとする課題は、故障や破損がしにくく十分な締付力も容易に得られ取付け取外し操作も容易なモップ糸取付台を提供する点にある。
【課題を解決するための手段】
【０００９】  本発明に係るモップ糸取付台は、ほぼ直方体の形状とした細長い本体１の両側に垂直方向の切れ目６をそれぞれ入れ、各切れ目６をはさむようにして本体１の両側付近に二つずつの掛止部５をそれぞれ設け、一方、本体１とほぼ同じ長さとした細長い取付体７の両端に二つの回転脚８の各一端を回転自在にそれぞれ取り付け、各回転脚８の各先端に本体１の各掛止部５に掛止する掛止片９をそれぞれ設け、本体１と取付体７との間にモップ糸１０をはさんだ後に各回転脚８を本体１の切れ目６に入れ各掛止片９を上方に出して本体１の各掛止部５に掛止させるようにし、そして各掛止片９を各掛止部５に掛止させた状態では両回転脚８が平行でなくややハの字形になっているようにしたものである。【００１０】  モップ糸１０の中央を取付体７にかぶせてモップ糸１０の両側を垂らした後に、一方の回転脚８を上方内側へと回転させ本体１の一方の切れ目６にはめ掛止片９を本体１の掛止部５に掛止させる。つぎに、取付体７を本体１側へ強く押し付けながら他方の回転脚８を他方の切れ目６にはめ、掛止片９を掛止部５に掛止させると、モップ糸１０の取付けが終る。各掛止片９が掛止部５に掛止されていることで各回転脚８が簡単には外れず、取付体７の取付けはしっかりしたものとなっている。さらに、左右の回転脚８は垂直位置を乗り越え左右でややハの字形になっている。したがって、回転脚８に外側へ回転する力が加わっても簡単には回転せず取付体７が外れることはない。
【発明の効果】
【００１１】  本発明に係るモップ糸取付台は、従来品と比べ締付片がない分、故障や破損がしにくく、十分な締付力も容易に得られ、取付け取外し操作も容易である。各掛止片９を各掛止部５に掛止させた状態では両回転脚８が平行でなくややハの字形になっているため、回転脚８は外れにくい。
【発明を実施するための最良の形態】
【００１２】  本発明を実施するための最良の形態を図１・図２・図３に基づいて説明する。図１はモップ糸取付台を示す分解斜視図、図２は図１に示したものの正面図、図３は図１に示したものを組み立てた状態を示す斜視図である。１はモップ糸取付台の本体を示している。本体１は直方体の形状とし、上方部中央部は棒状のモップ柄の先端に取り付けたクリップを挟むことができる形状に形成した挟持部２としている。そして、挟持部２を除く両端部において本体１の上部に直方体状にくり抜いた凹部３をそれぞれ設けている。各凹部３の中央位置において下方へ半円弧状にくぼむくぼみ４をそれぞれ設けている。各くぼみ４の外方の縁が掛止部５となる。半円弧状のくぼみ４の最下部の位置に達する切れ目６を本体１の両端からそれぞれ入れている。【００１３】  別体の断面Ｕ字形の細長い取付体７を用意する。取付体７は本体１とほぼ同じ長さのものとしている。取付体７の両端には回転脚８をピンによって回転自在にそれぞれ設けている。回転脚８の先端には円柱状の掛止片９を一体成形によってそれぞれ設けている。回転脚８の厚みは本体１の切れ目６にちょうどはまるものとし、掛止片９は本体１のくぼみ４にちょうどはまるものとしている。そして、本体１の下方に取付体７を添わせて配置し、両回転脚８を外側から上方内側へと回転させ本体１の両切れ目６にはめて掛止片９を本体１の両くぼみ４にはめたとき、両回転脚８が垂直方向を通り越し両回転脚８がややハの字形に広がる状態になる位置に本体１のくぼみ４をそれぞれ設けているのである。【００１４】  以上に示したモップ糸取付台の使用法を説明する。まず、図１に示すように、モップ糸１０の中央を取付体７にかぶせてモップ糸１０の両側を垂らした後に、一方の回転脚８を上方内側へと回転させ本体１の一方の切れ目６にはめ掛止片９を本体１のくぼみ４にはめる。つぎに、取付体７を本体１側へ強く押し付けながら他方の回転脚８を他方の切れ目６にはめ、掛止片９をくぼみ４にはめると、モップ糸１０の取付けが終って図３に示す状態になる。各掛止片９が各くぼみ４の外縁の掛止部５に掛止されていることで各回転脚８が簡単には外れず、取付体７の取付けはしっかりしたものとなっている。さらに、左右の回転脚８は垂直位置を乗り越え左右でややハの字形になっている。したがって、回転脚８に外側へ回転する力が加わっても簡単には回転せず取付体７が外れることはない。【００１５】  以上のものにおいては、本体１に半円弧状のくぼみ４を設けくぼみ４の外側の縁を掛止部５としているが、垂直方向等の縁を作ってその縁を掛止部５としてもよい。
【実施例１】
【００１６】  実施例１を図４に基づいて説明する。回転脚８の掛止片９の形状を方形にした以外は図１−３に示したものと同じである。
【実施例２】
【００１７】  実施例２を図５に基づいて説明する。回転脚８の掛止片９の上方に内側へ向けて爪を設けた以外は図１−３に示したものと同じである。爪をつまむことで着脱操作がし易くなる。
【実施例３】
【００１８】  実施例３を図６に基づいて説明する。回転脚８の掛止片９の上方にギザギザを付けた以外は図１−３に示したものと同じである。
【図面の簡単な説明】
【００１９】
【図１】発明を実施するための最良の形態を示す分解斜視図である。
【図２】図１に示したものの正面図である。
【図３】図１に示したものを組み立てた状態を示す斜視図である。
【図４】実施例１の要部を示す縦断面図である。
【図５】実施例２の要部を示す縦断面図である。
【図６】実施例３の要部を示す縦断面図である。
【符号の説明】
【００２０】    １    本体
５    掛止部
６    切れ目
７    取付体
８    回転脚
９    掛止片
【図１】
2007190328.tif 000003
【図２】
2007190328.tif 000004
【図３】
2007190328.tif 000005
【図４】
2007190328.tif 000006
【図５】
2007190328.tif 000007
【図６】
2007190328.tif 000008